(57)【要約】      （修正有）【課題】各種物質の製造装置に後つけで取り付けることで有効にかつ簡便に作動する節電省エネルギー促進装置を提供する。【解決手段】物質の製造装置に後付けで取り付けることで節電省エネルギーを促進することができることを特徴とし、交流高電位発生装置２とその高電位を印加する電極４とから構成され、さらに前記交流高電位発生装置２から絶縁被覆導線３を通して物質の製造装置及び物質に交流高電位を印加すべく複数の電極４を物質の製造装置に取り付けることが出来ることを特徴とする。【選択図】図１
0003179507.tif 000002
【実用新案登録請求の範囲】
【請求項１】
物質の製造装置に取り付け作用させることで、熱や電気エネルギーの伝達効率を高めて安全に節電省エネルギーを促進することができることを特徴とする万能型節電省エネルギー促進装置。
【請求項２】
交流高電位発生装置と交流高電位発生装置から絶縁被覆導線を通して物質及び製造装置に交流高電位を印加しうるそれぞれの複数の電極とからなり独立した一体型構成装置であることを特徴とする万能型節電省エネルギー促進装置。
【請求項３】
交流高電位は２００Ｖ〜３００００Ｖ、商用周波数５０Ｈｚ、６０Ｈｚを範囲とすることを特徴とする万能型節電省エネルギー促進装置。
【請求項４】
交流高電位の印加電極に直接触れた場合でも感電防止電気回路によって安全性を確保することができることを特徴とする万能型節電省エネルギー促進装置。
【請求項５】
物質の製造装置及び万能型節電省エネルギー促進装置がアースされる大地には炭素埋設されることを特徴とする万能型節電省エネルギー促進装置。
【考案の詳細な説明】
【技術分野】
【０００１】  本考案は各種物質の製造装置の節電省エネルギー促進装置に関する。
【背景技術】
【０００２】  従来の物質の製造装置の節電省エネルギー方法は物質の製造装置における個々の要素技術の改善などにより消費電力を抑制することで個々の物質の製造装置毎に節電省エネルギーの高効率化が行われてきた。しかし一つ一つの節電省エネルギー手法は固有的で夫々製造装置毎に異なっており、お互いに流用ができず、一つの共通し得る装置を取り付けることで容易に節電省エネルギーが達成できるような万能型の節電省エネルギー装置にはなり得なかった。そこで、色々な各種物質の製造装置に後から取り付けることで容易に節電省エネルギーが達成できる万能型節電省エネルギー促進装置の開発が潜在的に求められていた。
【考案が解決しようとする課題】
【０００３】上記に説明した通り、各種物質の製造装置に後から取り付けることで節電省エネルギーを促進することができるような万能型節電省エネルギー装置が潜在的に求められていた。本考案が解決しようとする課題は各種物質の製造装置に共通した手法と装置を取り付けることで有効にかつ簡便に作動する万能型節電省エネルギー促進装置を提供することにある。
【考案の開示】
【課題を解決するための手段】
【０００４】  かかる課題を解決し上記目的を達成するために本考案における万能型節電省装置は以下に示す各種の解決手段から構成されることを特徴とするものである。
先ず第１の手段は、実用新案登録請求項１に記載されている通り、物質の製造装置に取り付け作用させることで節電省エネルギーを促進することができることを特徴とする万能型節電省エネルギー促進装置を提供することである。【０００６】  本考案の万能型節電省エネルギー促進装置は第２の手段である請求項２に記載している通り交流高電位発生装置と交流高電位発生装置から発生する交流高電位を印加すべく絶縁被覆導線で接続されたる複数の電極とからなる独立した一体型に構成されたる装置からなる。即ち、物質やその製造装置に交流高電位発生装置から発生した交流高電位を電極を通して印加することで生じる微小な電子の流れを通電することで、その製造にかかわる物質や製造装置などに必然的に生じる物質や製造装置の温度上昇の原因になる摩擦熱による発熱を交流高電位によって発生した微小な電子の流れに載せて系外に排出して取り除き発熱ロスによる生産効率の低下を抑え節電省エネルギーの促進を図るものでる。また製造過程で物質や製造装置に発生する静電気によって生じる静電気障害例えば物質の流れの停滞、目つまりの原因によっておこる生産効率の低下を電子の流れによってこの静電気障害を抑え節電省エネルギーの促進を図るものである。
電極において、非電導性の物質に蜜着させて交流高電位をその物質に直接印加する場合の電極は金属製の無垢の電極を、一方で導電性の物質や金属製の製造装置に接着させて交流高電位印加する場合の電極は絶縁材料で被覆されたる電極からなることを特徴とするものである。電極の形状や寸法は板状や棒状などその物質の製造装置に適合するものであればよい。金属製の無垢の電極は導電性の物質や導電性の金属製製造装置が露出された状態で蜜着させて使用する場合は電気的に短絡ショート事故を起こすことや人手が接触し感電事故を起こすことになるが、絶縁性材料で被覆された金属製電極では電気的短絡ショート事故が無いように、また交流高電位に感電しないように配慮されたものである。仮に絶縁された電極を製造装置内の発熱部位に密着させた場合でも絶縁被覆を通して交流高電位は誘導印加される。そして金属製製造装置内の発熱部位に発生している熱はその部位に生じた微小な電子の流れに載せて系外に排出させ発熱を抑え温度の上昇を抑制することができるのである。【０００７】  本考案の万能型節電省エネルギー促進装置における第３の手段は同じく請求項３に記載されているように交流高電位に関わる電圧、周波数において、電圧は交流２００Ｖから３万Ｖ。周波数は５０Ｈｚ６０Ｈｚの商用周波数と電気絶縁被覆導線で接続されたる複数の電極から構成されることを特徴とするものでる。【０００８】  そもそも節電省エネルギーが求められる理由は必要なエネルギーが物質の製造生産に有効に伝達活用されないロスがあるからである。例えばそこには摩擦損出などの機械的ロス、静電気ロスなどの電気的ロス。物質から発生する熱ロス、などがある。これらのロスを抑制または解消することにより節電省エネルギーを促進することになる。そのためにはこれらのエネルギ−ロスを交流高電位の印加によって生じる微小な電子の流れに載せて解消せしめるべく速やかにアースを通して大地に排出せしめ還元することである。電子はエネルギーのキャリアーでもあることから、微小な電流であってもその排出する熱エネルギーは大きい。従って摩擦によって生じる熱損失を低減し、製造装置の中で発生する発熱を速やかに排出させて温度上昇を抑え、静電気を中和して静電気ロスを解消し、物質の製造装置における物質から発生する熱を電子の流れに載せて熱伝達を高めて排出して製造物質や製造装置の発熱温度を下げ熱ロスを抑制せしめることで高効率の物質生産が可能となり、物質製造における生産効率や歩留まりが上昇するとともに節電省エネルギーの促進が可能となるのである。【０００９】  次に本考案の万能型節電省エネルギー促進装置における第４の手段は同じく請求項４に記載されているように、さらなる安全を確保するために、万一交流高電位に印加された導線が直接触れた場合でも瞬間に高抵抗を介して微小電位に落とすことで感電しないよう感電防止電気回路を設けてさらなる安全性を確保することをと特徴としている。【００１０】  おわりに、本考案の節電省エネルギー促進装置の性能を上げる目的で敷地全体にわたって炭素埋設を行い、アース抵抗を最小化させ電磁気的効果を最高に確保することを特徴とするものである。
【考案を実施するための最良の形態】
【考案の実施例】
【００１１】    実施例として精米装置の場合を例に挙げて図面を参照にしながら説明する。
図１、において万能型節電省エネルギー促進装置１は交流高電位発生装置２と交流高電位発生装置から絶縁被覆導線３で接続された複数の電極例えば棒状電極４と板状電極５から構成されている。万能型節電省エネルギー促進装置１は節電省エネルギーを行おうとする精米装置（物質の製造装置）近傍に設置される。例えばここでは玄米６から白米７に電気モーター動力の搗精部位８で搗精され精製され製造する精米装置９の節電省エネルギー促進装置の実例について説明する。交流高電位発生装置で発生した交流高電位Ｅ、５０００Ｖ、５０Ｈｚは絶縁被覆導線３で接続された棒状電極４を通して貯留ホッパーに充填された玄米６に直接印加され荷電される。一方で同じく絶縁膜１０で被覆された板状電極５は精米機の搗精部位８の発熱近傍に接置される。精米機は金属製であることから板状電極５は絶縁膜１０で被覆し交流高電位のリークを防止する。荷電された玄米は静電気障害を解消させ目つまりもなくスムースに流動し精米機の搗精部位８に到達し搗精される。通常では、玄米の搗精は摩擦によって大きく発熱し搗精抵抗によって動力モーターの効率が低下し消費電力が増大するのに対し、本考案の万能型節電省エネルギー促進装置１を取り付けたものでは電極を通して交流高電位Ｅが印加されて生じた電子ｅが発熱した熱を運ぶキャリヤーとなり電流になって流れ、その熱は大地に掘った直径１ｍφ深さ１ｍの掘り穴に備長炭を密に充填した炭素埋設１１によって地接地抵抗を５Ω以下に調製した大地１２にアース１３を通して排出される。これによって精米機の搗精部位における発熱は排除され温度上昇が抑制され下表１に示した通り大幅な節電省エネルギー促進効果が達成されることがわかった。また砕米発生率も大幅に減少し歩留まりの向上に寄与している。交流高電位Ｅの適用範囲は２００Ｖから３万Ｖの範囲で有効であることが分かっている。本考案の装置は万一交流高電位に印加した絶縁導線の端子が触れたとしても高抵抗１４を介して瞬間低電位に落とされるので感電することの無い安全電気回路設計になっている。
【表１】
0003179507.tif 000003
【００１２】  上記以外にも万能型節電省エネルギー促進装置を色々な物質の製造装置に取り付けることで大幅な節電省エネルギー促進効果を挙げることも分かった・実積を上げている例が多い。代表的なものを下記に示す。
和菓子製造Ｔ社の例ではもち米の蒸し操作において、本考案装置を蒸し器に取り付けた後は従来の約３分の１の時間（約１３分）で。赤飯では半分の時間で（約３０分）蒸し挙げることができており、節電効率蒸し器で６６％、赤飯で５０％の大幅な節電省エネルギー促進効果を挙げている。
製餡製造においてはＫ社の製餡自動プラントでの製造時間の約半分の時間（１時間４０分）で仕上げている。
その他精麦工場における節電省エネ促進効果、焼酎製造のける焼酎のアルコール高含有率化を伴った節電省エネルギー促進効果、パン製造工場での節電省エネルギー促進効果やその他など多くの実積例が示されている。
【産業上の利用可能性】
【考案の効果】
【００１３】  本考案は上述の通り構成されているので次の通りの効果を奏する。
１）本考案の装置を取り付けることで物質を製造する機械装置や製造プロセスの節電省エネルギー促進効果を大幅に挙げることができる。
２）本考案の装置は安全でかつ容易に殆ど全ての製造装置に取り付けることができるので万能型節電省エネルギー促進効果を速やかに達成させることができる。
【図面の簡単な説明】
【００１４】
【図１】節電省エネルギー促進装置の概略図
【符号の説明】
【００１５】１    万能型節電省エネルギー促進装置
２    交流高電位発生装置
３    絶縁被覆導線
４    棒状電極
５    板状電極
６    玄米
７    白米
８    搗精部位
９    精米装置
１０  絶縁膜
１１  炭素埋設
１２  大地
１３  アース
Ｅ    交流高電位
ｅ    電子
１４  高抵抗
【図１】
0003179507.tif 000004
【手続補正書】
【提出日】平成24年8月15日(2012.8.15)
【手続補正１】
【補正対象書類名】実用新案登録請求の範囲
【補正対象項目名】全文
【補正方法】変更
【補正の内容】
【実用新案登録請求の範囲】
【請求項１】
物質の製造装置に後付けで取り付けることで節電省エネルギーを促進することができることを特徴とし、交流高電位発生装置とその高電位を印加する電極とから構成されたることを特徴とする節電省エネルギー促進装置。
【請求項２】
交流高電位発生装置と交流高電位発生装置から絶縁被覆導線を通して物質の製造装置及び物質に交流高電位を印加すべく複数の電極を物質の製造装置に取り付けることが出来ることを特徴とする請求項１記載の節電省エネルギー促進装置。
【請求項３】
交流高電位発生装置は電圧２００Ｖ〜３００００Ｖ、商用周波数は５０Ｈｚ、６０Ｈｚ、の範囲とすることを特徴とする請求項１又は請求項２記載の節電省エネルギー促進装置。
【手続補正２】
【補正対象書類名】明細書
【補正対象項目名】全文
【補正方法】変更
【補正の内容】
【考案の詳細な説明】
【技術分野】
【０００１】  本考案は各種物質の製造装置の節電省エネルギー促進装置に関する。
【背景技術】
【０００２】従来の物質の製造装置の節電省エネルギー方法は物質の製造装置における個々の要素技術の改善などにより消費電力を抑制することで個々の物質の製造装置毎に節電省エネルギーの高効率化が行われてきた。そこで。色々の各種製造装置に後から取り付けることで容易に節電省エネルギーが達成できる節電省エネルギー促進装置の開発が潜在的に求められていた。
【考案が解決しようとする課題】
【０００３】上記に説明した通り、本考案が解決しようとする課題は各種物質の製造装置に後つけで取り付けることで有効にかつ簡便に作動する節電省エネルギー促進装置を提供することにある。
【考案の開示】
【課題を解決するための手段】
【０００４】  かかる課題を解決し上記目的を達成するために本考案における節電省エネルギー促進装置は以下に示す各種の解決手段から構成されることを特徴とするものである。
先ず第１の手段は、実用新案登録請求項１に記載されている通り、物質の製造装置に取り付け作用させることで節電省エネルギーを促進することができることを特徴とする節電省エネルギー促進装置を提供することである。【０００５】  本考案の節電省エネルギー促進装置は第２の手段である請求項２に記載している通り交流高電位発生装置と交流高電位発生装置から発生する交流高電位を印加すべく絶縁被覆導線で接続されたる複数の電極とからなる  即ち、物質やその製造装置に交流高電位発生装置から発生した交流高電位を電極を通して印加することで生じる微小な電子の流れを通電することで、その製造にかかわる物質や製造装置などに必然的に生じる物質や製造装置の温度上昇の原因になる摩擦熱による発熱を交流高電位によって発生した微小な電子の流れに載せて系外に排出して取り除き発熱ロスによる生産効率の低下を抑え節電省エネルギーの促進を図るものでる。また製造過程で物質や製造装置に発生する静電気によって生じる静電気障害例えば物質の流れの停滞、目つまりの原因によっておこる生産効率の低下を電子の流れによってこの静電気障害を抑え節電省エネルギーの促進を図るものである。
電極において、非電導性の物質に蜜着させて交流高電位をその物質に直接印加する場合の電極は金属製の無垢の電極を、一方で導電性の物質や金属製の製造装置に接着させて交流高電位印加する場合の電極は絶縁材料で被覆されたる電極からなることを特徴とするものである。電極の形状や寸法は板状や棒状などその物質の製造装置に適合するものであればよい。金属製の無垢の電極は導電性の物質や導電性の金属製製造装置が露出された状態で蜜着させて使用する場合は電気的に短絡ショート事故を起こすことや人手が接触し感電事故を起こすことになるが、絶縁性材料で被覆された金属製電極では電気的短絡ショート事故が無いように、また交流高電位に感電しないように配慮されたものである。仮に絶縁された電極を製造装置内の発熱部位に密着させた場合でも絶縁被覆を通して交流高電位は誘導印加される。そして金属製製造装置内の発熱部位に発生している熱はその部位に生じた微小な電子の流れに載せて系外に排出させ発熱を抑え温度の上昇を抑制することができるのである。【０００６】  本考案の節電省エネルギー促進装置における第３の手段は同じく請求項３に記載されているように交流高電位発生装置に関わる電圧、周波数において電圧は交流２００Ｖから３万Ｖ、周波数は５０．Ｈｚ６０Ｈｚの商用周波数と電気絶縁被覆導線で接続されたる複数の電極とから構成されることを特徴とするものである。【０００７】  そもそも節電省エネルギーが求められる理由は必要なエネルギーが物質の製造生産に有効に伝達活用されないロスがあるからである。例えばそこには摩擦損出などの機械的ロス、静電気ロスなどの電気的ロス。物質から発生する熱ロス、などがある。これらのロスを抑制または解消することにより節電省エネルギーを促進することになる。そのためにはこれらのエネルギーロスを交流高電位の印加によって生じる微小な電子の流れに載せて解消せしめるべく速やかにアースを通して大地に排出せしめ還元することである。電子はエネルギーのキャリアーでもあることから、微小な電流であってもその排出する熱エネルギーは大きい。従って摩擦によって生じる熱損失を低減し、製造装置の中で発生する発熱を速やかに排出させて温度上昇を抑え、静電気を中和して静電気ロスを解消し、物質の製造装置における物質から発生する熱を電子の流れに載せて熱伝達を高めて排出して製造物質や製造装置の発熱温度を下げ熱ロスを抑制せしめることで高効率の物質生産が可能となり、物質製造における生産効率や歩留まりが上昇するとともに節電省エネルギーの促進が可能となるのである。【０００８】  次に本考案の節電省エネルギー促進装置のさらなる安全を確保するために、万一交流高電位に印加された導線が直接手に触れた場合でも瞬間に高圧側から低圧側に接続された高抵抗によって直接高電位が印加されずに高抵抗によって微小電流に落とすことで感電しないよう感電防止電気回路が設けられており、さらなる安全性を確保することを配慮するものである【０００９】  おわりに、本考案の節電省エネルギー促進装置の性能を上げる目的で敷地全体にわたって炭素埋設を行い、アース抵抗を最小化させ電磁気的効果を最高に確保することを配慮するものである。
【考案を実施するための最良の形態】
【考案の実施例】
【００１０】    実施例として精米装置の場合を例に挙げて図面を参照にしながら説明する。
図１、において節電省エネルギー促進装置１は交流高電位発生装置２と交流高電位発生装置から絶縁被覆導線３で接続された複数の電極例えば棒状電極４と板状電極５から構成されている。節電省エネルギー促進装置１は節電省エネルギーを行おうとする精米装置（物質の製造装置）近傍に設置される。例えばここでは玄米６から白米７に電気モーター動力の搗精部位８で搗精され精製され製造する精米装置９の節電省エネルギー促進装置の実例について説明する。交流高電位発生装置で発生した交流高電位Ｅ、５０００Ｖ、５０Ｈｚは絶縁被覆導線３で接続された棒状電極４を通して貯留ホッパーに充填された玄米６に直接印加され荷電される、一方で同じく絶縁膜１０で被覆された板状電極５は精米機の搗精部位８の発熱近傍に接置さ印加荷電される。精米機は金属製であることから板状電極５は絶縁膜１０で被覆し交流高電位のリークを防止する。荷電された玄米は静電気障害を解消させ目つまりもなくスムースに流動し精米機の搗精部位８に到達し搗精される。通常では、玄米の搗精は摩擦によって大きく発熱し搗精抵抗によって動力モーターの効率が低下し消費電力が増大するのに対し、本考案の節電省エネルギー促進装置１を取り付けたものでは電極を通して交流高電位Ｅが印加されて生じた電子ｅが発熱した熱を運ぶキャリヤーとなり電流になって流れ、その熱電流は大地に掘った直径１ｍφ深さ１ｍの掘り穴に備長炭を密に充填した炭素埋設１１によって地接地抵抗を５Ω以下に調製した大地１２にアース１３を通して排出される。これによって精米機の搗精部位における発熱は排除され温度上昇が抑制され下表１に示した通り大幅な節電省エネルギー促進効果が達成されることがわかった。また砕米発生率も大幅に減少し歩留まりの向上に寄与している。交流高電位Ｅの適用範囲は２００Ｖから３万Ｖの範囲で有効であることが分かっている。本考案の装置は万一交流高電位に印加した絶縁導線の端子が人手に触れたとしても高抵抗１４を介して瞬間低電位に落とされるので感電することの無い安全電気回路設計になっている。
【表１】
0003179507.tif 000005
【００１１】  上記以外にも節電省エネルギー促進装置を色々な物質の製造装置に取り付けることで大幅な節電省エネルギー促進効果を挙げることも分かった・実積を上げている例が多い。代表的なものを下記に示す。
和菓子製造Ｔ社の例ではもち米の蒸し操作において、本考案装置を蒸し器に取り付けた後は従来の約３分の１の時間（約１３分）で。赤飯では半分の時間で（約３０分）蒸し挙げることができており、節電効率蒸し器で６６％、赤飯で５０％の大幅な節電省エネルギー促進効果を挙げている。
製餡製造においてはＫ社の製餡自動プラントでの製造時間の約半分の時間（１時間４０分）で仕上げている。
その他精麦工場における節電省エネ促進効果、焼酎製造のける焼酎のアルコール高含有率化を伴った節電省エネルギー促進効果、パン製造工場での節電省エネルギー促進効果やその他など多くの実積例が示されている。
【産業上の利用可能性】
【考案の効果】
【００１２】  本考案は上述の通り構成されているので次の通りの効果を奏する。
１）本考案の装置を取り付けることで物質を製造する機械装置や製造プロセスの節電省エネルギー促進効果を大幅に挙げることができる。
２）本考案の装置は安全でかつ容易に殆ど全ての物質の製造装置に取り付けることができるので節電省エネルギー促進効果を速やかに達成させることができる。
【図面の簡単な説明】
【００１３】
【図１】節電省エネルギー促進装置の概略図
【符号の説明】
【００１４】  １  節電省エネルギー促進装置
２  交流高電位発生装置
３  絶縁被覆導線
４  棒状電極
５  板状電極
６  玄米
７  白米
８  搗精部位
９  精米装置
１０  絶縁膜
１１  炭素埋設
１２  大地
１３  アース
Ｅ  交流高電位
ｅ  電子
１４  高抵抗